(57)【要約】【課題】食料を十分に確保でき、長期間避難できる耐震シェルターを提供する。【解決手段】建物９に沿って併設される耐震シェルター１である。耐震シェルター１は、避難室１０と、上方が屋外に開放された菜園室１１とを備える。【選択図】図１
2017025512.tif 000002
【特許請求の範囲】
【請求項１】
建物に沿って併設される耐震シェルターであって、
避難室と、
上方が屋外に開放された菜園室とを備えたことを特徴とする耐震シェルター。
【請求項２】
複数階建ての耐震シェルターであって、
前記菜園室が前記避難室の上方に設けられたことを特徴とする請求項１に記載の耐震シェルター。
【請求項３】
前記菜園室内の植物に水を供給するための給水用配管、または貯水槽のうち、少なくとも一方を備えたことを特徴とする請求項１または請求項２に記載の耐震シェルター。
【発明の詳細な説明】
【技術分野】
【０００１】
本発明は、地震等の災害時における避難場所として利用可能な耐震シェルターに関する。
【背景技術】
【０００２】
特許文献１には、寝室や居間に設置される耐震シェルターが開示されている。この耐震シェルターは、地震発生時に耐震シェルター内に逃げ込むことで、利用者の安全が確保される。
【先行技術文献】
【特許文献】
【０００３】
【特許文献１】２０１０−２２２８３０号公報
【発明の概要】
【発明が解決しようとする課題】
【０００４】
ところで、特許文献１の耐震シェルターは、建物が倒壊したときの一時的な避難場所として利用できるに止まり、耐震シェルター内に避難した利用者は、食料を確保することが難しい。このため、耐震シェルター内に避難した利用者は、食料不足に陥り、避難生活を長期間続けることが難しくなるという課題がある。
【０００５】
本発明は前記事情に鑑みてなされたものであって、食料を十分に確保でき、長期間避難生活を続けることができる耐震シェルターを提供することを目的とする。
【課題を解決するための手段】
【０００６】
前記目的を達成するために本発明の耐震シェルターは、建物に沿って併設される耐震シェルターであって、避難室と、上方が屋外に開放された菜園室とを備えたことを特徴とする。
【発明の効果】
【０００７】
本発明に係る耐震シェルターは、地震等の災害発生時において、利用者が避難室に避難することができ、利用者を建物の倒壊等から守ることができる。また、利用者は、上方から太陽光および雨水を取り込むことができる菜園室において、野菜等の植物を栽培できる。また、耐震シェルターに避難した利用者は、菜園室で栽培した野菜等の植物を食料として利用できる。このため、食料不足に陥ることなく、避難生活を長期間続けることが可能になり、利用者の安全を一層確保できる。
【図面の簡単な説明】
【０００８】
【図１】図１は、本発明の実施形態の耐震シェルターを含む混構造建物の一部図示を省略した斜視断面図である。
【図２】図２は、前記混構造建物の耐震シェルター部分における縦断面図である。
【図３】図３は、前記混構造建物の説明図である。
【図４】図４は、図２のＡ部拡大図である。
【図５】図５Ａおよび図５Ｂは、他例の混構造建物を示し、図５Ａは１階平面図であり、図５Ｂは２階平面図である。
【発明を実施するための形態】
【０００９】
以下、添付図面に基づいて本発明の実施形態について説明する。本実施形態の耐震シェルター１は、図１に示されるように、建物９に沿って併設され、建物９と併せて一つの混構造建物を構成する。
【００１０】
図１に示される建物９は、２階建ての木造住宅である。なお、建物９は、木造に制限されず、鉄骨造等の他構造の建物であってもよい。また、建物９は既設または新設のいずれであってもよい。また、建物９は、住宅に制限されず、商店や事務所等、その他の用途で用いられる建物であってもよい。また、建物９は、１階建ての建物であってもよいし、３階建て以上の建物であってもよい。
【００１１】
耐震シェルター１は、建物９と同じ敷地内に建物９に隣接して設置されている。
【００１２】
本実施形態の耐震シェルター１は、鉄骨構造を有する２階建ての建築物である。具体的に耐震シェルター１は、重量鉄骨造の建築物である。なお、耐震シェルター１は、建物９よりも耐震性能の優れた耐震構造を有するのであれば、軽量鉄骨造または木造の建築物であってもよい。また、耐震シェルター１は、１階建てであってもよいし、３階建て以上であってもよく、その階数は制限されない。
【００１３】
本実施形態の耐震シェルター１の躯体は、軸組３、１階床組４、２階床組５、および小屋組６を備えている。
【００１４】
軸組３は、４隅の柱３０を備えている。なお、本実施形態の各柱３０は、複数本の管柱で構成されているが、通し柱であってもよい。
【００１５】
１階床組４および２階床組５のそれぞれは、４方の床梁４０，５０で構成された矩形状の床組枠４１，５１と、床組枠４１，５１の対角に位置する部分同士を連結した水平ブレース４２，５２を備えている。１階床組４および２階床組５のそれぞれの床組枠４１，５１の４隅は、対応する柱３０に連結されている。
【００１６】
小屋組６は、４方の小屋梁６０（水平梁）で構成された矩形状の小屋組枠６１と、小屋組枠６１の各隅部に連結された合掌梁６２とを備えている。小屋組枠６１の４隅は、対応する柱３０の上端部に連結されている。また、各合掌梁６２は、小屋組枠６１の隅部と反対側の端部が、小屋組枠６１の中央部上方において互いに連結されている。
【００１７】
耐震シェルター１は、その躯体が建物９の躯体から水平方向に僅かに離れた状態で建てられており、構造上、建物９から分離・独立している。
【００１８】
耐震シェルター１は、避難室１０と菜園室１１とを備えている。なお、本実施形態の耐震シェルター１は、部屋として、避難室１０と菜園室１１の２室のみを備えているが、部屋を３室以上備えてもよい。
【００１９】
避難室１０は、軸組３と、１階床組４の上に設けられた床構成材１２（図２参照）と、２階床組５の下に設けられた天井材１３（図２参照）とで囲まれた室であって、建物９の１階部分と同じレベルに位置している。
【００２０】
避難室１０の上方は、天井（天井材１３）で塞がれている。避難室１０は、４方が建物９の外壁９０、または柱３０と柱３０の間に設けられた壁（不図示）、あるいはその両方によって覆われている。建物９の１階部分と避難室１０は、図３に示すようにエキスパンジョイント１４を介して連結されており、避難室１０は外観上、建物９と一体である。
【００２１】
避難室１０は、建物９の１階部分との間に設けられた開口部１５を通じて建物９の１階部分に通じている。図１に示す例では、開口部１５として、建物９の避難室１０に対向する外壁９０に出入口が形成されており、開口部１５にはテラス戸が設けられている。
【００２２】
耐震シェルター１の利用者（建物９の居住者）は、開口部１５を介して建物９の１階部分と避難室１０との間を移動できる。なお、開口部１５は、避難室１０の側面全体に亘るように設けてもよく、この場合、開口部１５を介して通じる避難室１０と建物９の１階部分の部屋を一続きの部屋として利用できる。
【００２３】
菜園室１１は、軸組３と、２階床組５の上に設けられた床構成材１７（図２参照）と、小屋組６とで囲まれた室であって、建物９の２階部分と同じレベルに位置している。菜園室１１は、１階の避難室１０の上方に位置し、平面視で避難室１０と重複している。菜園室１１の床１８は、２階床組５と床構成材１７とで構成されている。
【００２４】
２階の菜園室１１も、１階の避難室１０と同様、建物９の２階部分にエキスパンジョイント（不図示）を介して連結されており、外観上建物９と一体である。
【００２５】
菜園室１１は、建物９の２階部分との間に設けられた開口部１６を通じて建物９の２階部分に通じている。以下、開口部１５を第１開口部１５と記載し、開口部１６を第２開口部１６と記載する。図１に示す例では、第２開口部１６として、建物９の菜園室１１に対向する外壁９０に出入口が形成されており、第２開口部１６には、戸が設けられている。
【００２６】
利用者は、第２開口部１６を介して建物９の２階部分と避難室１０との間を移動できる。
【００２７】
菜園室１１の床１８には、上階の菜園室１１と下階の避難室１０とを通じさせる連絡口１９が設けられている。このため、利用者は、避難はしご等を用いて、連絡口１９を通ることで、建物９を通過することなく、避難室１０と菜園室１１との間を移動できる。
【００２８】
なお、本実施形態では、菜園室１１の床１８に設けられた連絡口１９を介して避難室１０と菜園室１１との間を移動できるようにしてあるが、例えば耐震シェルター１の屋外側に、はしごなどを設けることで、利用者が避難室１０と菜園室１１との間を移動できるようにしてもかまわない。つまり、耐震シェルター１には、避難室１０と菜園室１１との間を、建物９を通過することなく移動可能にする連絡手段が設けられていればよい。
【００２９】
菜園室１１の天井を構成する小屋組６には、屋根が設けられていない。すなわち、耐震シェルター１は、屋根の無い建築物である。このため、菜園室１１は、上方が屋外に開放されている。これにより、菜園室１１には、上方から日光および雨水が入り込むようになっている。
【００３０】
菜園室１１は、前後左右の４方のうちの３方、２方、または１方が、建物９の外壁９０によって覆われているが、４方のうちの少なくとも１方は隣り合う柱３０と柱３０の間を介して屋外に開放されている。このため、本実施形態の耐震シェルター１は、側方からも日光および雨水が入り込むようになっている。
【００３１】
図５Ａおよび図５Ｂには、耐震シェルター１を菜園室１１の４方のうちの一方が屋外側に開口しかつ３方が建物９に囲まれるように設置した例が示されている。図５Ａは１階平面図であり、図５Ｂは２階平面図である。図５Ｂ中、符号２９は手すりである。図５Ａおよび図５Ｂに示されるように、避難室１０を３方が建物９に囲まれるように設置することで、耐震シェルター１が建物９とより一体的に見え、混構造建物の外観がよい。
【００３２】
なお、菜園室１１は、４方が建物９に囲まれてもよい。すなわち、菜園室１１は、少なくとも上方が屋外に開放されていればよい。
【００３３】
図１に示されるように、菜園室１１は小屋組６０を介して上方に開放されているため、菜園室１１には上方から雨水が降り込む。このため、菜園室１１の床を構成する床構成材１７は、コンクリートなどの防水性を有する材料から形成することが好ましい。
【００３４】
耐震シェルター１には、菜園室１１において野菜、果物、穀物などの植物を育てるための菜園設備が設けられている。本実施形態では、図４に示されるように、菜園設備として、栽培器２１と、栽培器２１に水を供給するための給水設備２２とが、菜園室１１に設けられている。
【００３５】
本実施形態の栽培器２１は、いわゆるアイメック（登録商標）農法（フィルム農法）により植物を栽培するために用いられる。具体的に栽培器２１は、培地として、菜園室１１の床１８の上に設けられるフィルム２３を備えており、このフィルム２３の表面で植物が栽培される。フィルム２３は、例えばナノメーターサイズの穴が多数形成された親水性フィルムであって、多量の水を保持する。
【００３６】
給水設備２２は、貯水槽２４と、雨水を貯水槽２４に供給するための雨水供給用配管２５と、貯水槽２４に溜まった水を栽培器２１に供給するための給水用配管２６と、給水用配管２６の途中に設けられた開閉弁２７とを備えている。
【００３７】
貯水槽２４は、菜園室１１に設置されている。雨水供給用配管２５は、例えば一端部が建物９に設けられた樋（例えば雨樋）に接続される共に他端部が貯水槽２４に接続される。これにより、建物９の屋根で受けられた雨水は、樋を介して雨水供給用配管２５に導入され、この雨水が貯水槽２４に供給される。なお、雨水供給用配管２５は、例えば貯水槽２４とは反対側の端部が屋根上に設けられた容器に接続されて、容器に降り込んだ雨水を貯水槽２４に流すものであってもよい。
【００３８】
利用者は、開閉弁２７を操作することで、貯水槽２４から栽培器２１へ水を供給するか否かを切り替えることができる。
【００３９】
開閉弁２７が閉じたとき、開閉弁２７により給水用配管２６の通水が遮断される。このため、栽培器２１には、貯水槽２４の水が供給されない。開閉弁２７が開いたとき、貯水槽２４に溜まった水は、雨水供給用配管２５を介して、栽培器２１のフィルム２３に供給される。これにより、利用者は、貯水槽２４の水を利用して、栽培器２１において植物を簡単に栽培できる。なお、開閉弁２７は、手動の弁に限らず、電動の弁、または手動と電動の両者で駆動可能な弁であってもよい。
【００４０】
給水設備２２は、貯水槽２４の水を安全な飲料水として利用するため、貯水槽２４に供給される雨水、または貯水槽２４に供給された雨水をろ過するためのろ過装置を備えることが好ましい。また、雨水供給用配管２５は、例えば貯水槽２４を雨水が直接入る位置に設置等することで、省略可能である。また、栽培器２１は、水耕栽培により植物を栽培するものであってもよい。また、菜園室１１では、土耕栽培によって植物の栽培がおこなわれてもよい。また、本実施形態の耐震シェルター１は、給水用配管２６と貯水槽２４の両方を備えているが、給水用配管２６または貯水槽２４のうち、一方のみを備えるものであってもよい。給水用配管２６だけを備える場合、給水用配管２６の下流側は、直接栽培器２１に接続される。また、貯水槽２４だけを備える場合、利用者は貯水槽２４の水をじょうろ等を用いて栽培器２１に供給する。
【００４１】
また、耐震シェルター１には、蓄電池２８が設けられている。蓄電池２８は、避難室１０または菜園室１１の一方、または両方に設けられる。蓄電池２８は、変圧器９２を通じて建物９の電源９３に接続されており、電源９３の電力により常時蓄電される。この蓄電池２８は、例えば非常時において携帯電話や無線機などの通信手段の電源として利用される。ここで、蓄電池２８と電源９３との間には、過充電を防ぐための自動遮断装置を設けることが好ましい。
【００４２】
なお、本実施形態の蓄電池２８は、通信手段の電源として利用できる程度の小型の電池であるが、大型の電池であってもよい。この場合、利用者は、蓄電池２８を暖房機器等の大型の電気機器の電源としても利用できる。また、蓄電池２８は、建物９または耐震シェルター１に設けられた太陽電池パネルに接続されて、太陽光を利用して蓄電可能な電池であってもよい。
【００４３】
利用者は、通常、耐震シェルター１を混構造建物の一部として利用できる。例えば、避難室１０は居室として利用され、菜園室１１は家庭菜園を行う場所として利用される。
【００４４】
地震等の災害時において、利用者は、耐震シェルター１に避難する。例えば緊急地震速報等により地震が発生することを知ったとき、利用者は、耐震シェルター１に避難する。このとき、建物９の１階に居る利用者は、第１開口部１５を通じて避難室１０に速やかに避難でき、また、建物９の２階に居る利用者は、第２開口部１６を通じて菜園室１１に速やかに避難できる。
【００４５】
耐震シェルター１は、避難室１０および菜園室１１共に、建物９よりも耐震性に優れた耐震構造を有している。このため、耐震シェルター１は建物９と比べて倒壊する可能性が低い。従って、利用者は、耐震シェルター１に避難することにより、安全が確保される。
【００４６】
また、耐震シェルター１の貯水槽２４、栽培器２１、および蓄電池２８は、耐震シェルター１に避難した利用者の避難生活に必要なライフラインとして利用される。具体的に利用者は、貯水槽２４の水を飲んだり、栽培器２１の野菜などの植物を食べたりすることができる。また、耐震シェルター１に避難した利用者は、蓄電池２８を電源として携帯電話や無線機などを利用でき、外部と通信できる。
【００４７】
以上説明した本実施形態の耐震シェルター１は、以下の特徴を有している。建物９に沿って併設される耐震シェルター１である。耐震シェルター１は、避難室１０と、上方が屋外に開放された菜園室１１とを備える。
【００４８】
この特徴を有する耐震シェルター１にあっては、利用者は、地震等の災害発生時において、避難室１０に避難でき、建物９の倒壊等から守られる。また、利用者は、上方から太陽光および雨水を取り込むことができる菜園室１１において、野菜等の植物を栽培できる。また、耐震シェルター１に避難した利用者は、菜園室１１で栽培した野菜等の植物を食べることができる。このため、利用者は食料不足に陥ることなく、避難生活を救助されるまで長期間続けることが可能になり、居住者の安全が一層確保される。
【００４９】
また、本実施形態の耐震シェルター１は、以下の付加的な特徴を有している。複数階建ての耐震シェルター１である。菜園室１１が避難室１０の上方に設けられる。
【００５０】
この特徴を有する耐震シェルター１は、複数階建てであり、菜園室１１が避難室１０の上方に位置するため、耐震シェルター１の建築面積の増加を抑制できる。
【００５１】
また、本実施形態の耐震シェルター１は、以下の付加的な特徴を有している。菜園室１１内の植物に水を供給するための給水用配管２６、または貯水槽２４のうち、少なくとも一方を備える。
【００５２】
この特徴を有する耐震シェルター１は、給水用配管２６から供給された水、または貯水槽２４の水を利用して、菜園室１１内の植物を栽培できる。また、貯水槽２４の水は、耐震シェルター１に避難した利用者の飲み水としても利用できる。
【００５３】
以上、添付図面に基づいて耐震シェルター１の実施形態について説明したが、耐震シェルター１は、本発明の趣旨を逸脱しない範囲で適宜設計変更可能である。
【符号の説明】
【００５４】
１  耐震シェルター
１０  避難室
１１  菜園室
２４  貯水槽
２６  給水用配管
９  建物
【図１】
2017025512.tif 000003
【図２】
2017025512.tif 000004
【図３】
2017025512.tif 000005
【図４】
2017025512.tif 000006
【図５】
2017025512.tif 000007